(57)【要約】【課題】演算量を増大させることなく流入する流体の密度に影響されずに、流量を推定する方法および装置を提供する。【解決手段】ブロア２の回転速度を温度で補正した修正回転数と、ブロア２の吐出圧と、ブロア２の送出する流量を吐出圧と流体の温度で補正した修正流量との関係を表す関係データ１５と、ブロア２の回転速度を検出する回転数センサ３と、ブロア２の吐出圧を検出する吐出圧センサ４と、ブロア２に流入する流体の温度を計測する温度センサ５と、回転数センサ３で検出した回転速度を温度センサ５で計測した温度で補正した修正回転数を算出する修正回転数算出部１２と、ブロア２の修正回転数と吐出圧と修正流量との関係を表す関係データ１５から、吐出圧と修正回転数で決まる修正流量を算出する修正流量算出部１３と、修正流量算出部１３で算出した修正流量から吐出圧と温度の補正を除いた流量を計算する流量算出部１４と、を備える。【選択図】図１
2009204321.tif 000002
【特許請求の範囲】
【請求項１】
流体を入口から導入し出口から送出する流体送出手段の駆動量を検出する駆動量検出ステップと、
前記流体送出手段の吐出圧を検出する吐出圧検出ステップと、
前記流体送出手段の流体の温度を計測する温度計測ステップと、
前記駆動量検出ステップで検出した駆動量を前記温度計測ステップで計測した温度で補正した修正駆動量を算出する修正駆動量算出ステップと、
前記流体送出手段の駆動量を温度で補正した修正駆動量と、前記流体送出手段の吐出圧と、前記流体送出手段の送出する流量を前記吐出圧および前記流体の温度で補正した修正流量との関係を表す予め設定したデータから、前記吐出圧と前記修正駆動量で決まる修正流量を算出する修正流量算出ステップと、
前記修正流量算出ステップで算出した修正流量から、前記吐出圧と前記温度の補正を除いた流量を計算する流量算出ステップと、
を備えることを特徴とする流量推定方法。
【請求項２】
前記修正駆動量は、前記流体送出手段の駆動量に基準温度と前記流体の温度の比の平方根を乗じた値であり、
前記修正流量は、前記流体送出手段の送出する流量に、標準大気圧と前記吐出圧の比、および、前記流体の温度と前記基準温度の比の平方根を乗じた値であって、
前記修正駆動量算出ステップは、前記流体送出手段の駆動量に基準温度と前記温度計測ステップで計測した温度の比の平方根を乗じた値を修正駆動量として算出し、
前記流量算出ステップは、前記修正流量に、前記吐出圧と標準大気圧の比、および、前記基準温度と前記温度計測ステップで計測した温度との比の平方根を乗じて、前記流量を計算する、
ことを特徴とする請求項１に記載の流量推定方法。
【請求項３】
前記修正駆動量と吐出圧と修正流量との関係を表す予め設定したデータは、隣接する測定点を含む平面の方程式で表され、
前記修正流量算出ステップは、前記修正流量を、前記隣接する測定点を含む平面の方程式からその平面上の点として算出する
ことを特徴とする請求項１または２に記載の流量推定方法。
【請求項４】
流体を入口から導入し出口から送出する流体送出手段の駆動量を温度で補正した修正駆動量と、前記流体送出手段の吐出圧と、前記流体送出手段の送出する流量を前記吐出圧と流体の温度で補正した修正流量との関係を表すデータと、
前記流体送出手段の駆動量を検出する駆動量検出手段と、
前記流体送出手段の吐出圧を検出する吐出圧検出手段と、
前記流体送出手段の雰囲気温度（流体温度）を計測する温度計測手段と、
前記駆動量検出手段で検出した駆動量を前記温度計測手段で計測した温度で補正した修正駆動量を算出する修正駆動量算出手段と、
前記流体送出手段の修正駆動量と吐出圧と修正流量との関係を表すデータから、前記吐出圧と、前記修正駆動量で決まる修正流量を算出する修正流量算出手段と、
前記修正流量算出手段で算出した修正流量から前記吐出圧と前記温度の補正を除いた流量を計算する流量算出手段と、
を備えることを特徴とする流量推定装置。
【請求項５】
前記修正駆動量は、前記流体送出手段の駆動量に基準温度と前記流体の温度の比の平方根を乗じた値であり、
前記修正流量は、前記流体送出手段の送出する流量に、標準大気圧と前記吐出圧の比、および、前記流体の温度と前記基準温度の比の平方根を乗じた値であって、
前記修正駆動量算出手段は、前記流体送出手段の駆動量に基準温度と前記温度計測手段で計測した温度の比の平方根を乗じた値を修正駆動量として算出し、
前記流量算出手段は、前記修正流量に、前記吐出圧と標準大気圧の比、および、前記基準温度と前記温度計測手段で計測した温度との比の平方根を乗じて、前記流量を計算する、
ことを特徴とする請求項４に記載の流量推定装置。
【発明の詳細な説明】
【技術分野】
【０００１】
本発明は、流体を入口から導入し出口から送出する流体送出手段の流量を推定する流量推定方法および流量推定装置に関する。
【背景技術】
【０００２】
流体を反応装置に送り込んで化学反応、燃焼、または光化学反応などの反応処理を行わせることが行われている。例えば、燃料電池システムでは、燃料の水素と酸素（または空気）を送り込んで、電力を得る。このようなシステムでは、反応装置に送り込む流体の流量（質量流量）を制御する必要がある。しかし、流体の温度、圧力または流量を変化させることなく、流量を正確に計測することは困難である。流量を正確に計測するための質量流量計は一般に高価で大型である。
【０００３】
例えば特許文献１は、高価で大型な質量流量計を設けることなく、流体の流量を精度よく制御できる流体送出手段の制御装置の技術が記載されている。特許文献１の技術は、流体送出手段の出口の圧力および流体送出手段の駆動量を検出し、検出された流体の圧力および駆動量に基づいて流体送出手段からの流体の送出量を推定送出量として導出する。特許文献１では、送風量を回転数と吐出圧の２次実験式から求める。
【０００４】
また、特許文献２には、大気圧の変化に拘らず良好な始動性をもたらすことのできるエンジンの燃料噴射装置の技術が記載されている。特許文献２のエンジンの燃料噴射装置は、常に最適な空燃比が得られるようにインジェクタの燃料噴射量を制御し、エンジン始動時には燃料供給通路の内壁に燃料の液膜が形成されるまで燃料噴射量を増量させる始動増量噴射制御を行うようにプログラムされた制御手段を備えてなるエンジンの燃料噴射装置において、上記始動増量噴射制御時における始動増量噴射量ＴＢを、基本始動増量噴射量ＴＢ０に冷却水温度大気圧補正係数Ｋｗｐを乗算して求め、上記冷却水温度大気圧補正係数Ｋｗｐを冷却水温度Ｔｗと大気圧Ｐからなる〔Ｔｗ−Ｐ〕３次元マップに基づいて設定する。
【０００５】
その他、ガソリンエンジンの燃料噴射の技術として、燃料噴射時間と吸気管圧力、エンジン回転数の３次元マップから燃料噴射時間を求める方法に線形補間を用いるものがある。
【特許文献１】特開２００６−１８５６０５号公報
【特許文献２】特開平９−３０３１７５号公報
【発明の開示】
【発明が解決しようとする課題】
【０００６】
特許文献１の技術は、送風量を回転数と吐出圧の２次実験式から求めるため、同一回転数において吐出圧の変化（増大）による流量の変化（減少）を再現することができない。また、大気の温度変化による質量変化を考慮できない。
【０００７】
特許文献２の技術は、温度、気圧の影響をそれぞれ別途３次元マップ化するため、情報量と推定計算負荷の増大を招く。電子制御ガソリン噴射の技術では、３次元マップからリアルタイムに複数の式を計算し推定するので、計算負荷が大きい。リアルタイムに流量を制御するためには、計算負荷に対応できる演算装置が必要である。
【０００８】
本発明は、上記事情に鑑みてなされたものであり、演算量を増大させることなく流入する流体の密度に影響されずに、流量を推定する方法および装置を提供することを目的とする。
【課題を解決するための手段】
【０００９】
上記目的を達成するため、本発明の第１の観点に係る流量推定方法は、流体を入口から導入し出口から送出する流体送出手段の駆動量を検出する駆動量検出ステップと、前記流体送出手段の吐出圧を検出する吐出圧検出ステップと、前記流体送出手段の流体の温度を計測する温度計測ステップと、前記駆動量検出ステップで検出した駆動量を前記温度計測ステップで計測した温度で補正した修正駆動量を算出する修正駆動量算出ステップと、前記流体送出手段の駆動量を温度で補正した修正駆動量と、前記流体送出手段の吐出圧と、前記流体送出手段の送出する流量を前記吐出圧および前記流体の温度で補正した修正流量との関係を表す予め設定したデータから、前記吐出圧と前記修正駆動量で決まる修正流量を算出する修正流量算出ステップと、前記修正流量算出ステップで算出した修正流量から、前記吐出圧と前記温度の補正を除いた流量を計算する流量算出ステップと、を備えることを特徴とする。
【００１０】
好ましくは、前記修正駆動量は、前記流体送出手段の駆動量に基準温度と前記流体の温度の比の平方根を乗じた値であり、前記修正流量は、前記流体送出手段の送出する流量に、標準大気圧と前記吐出圧の比、および、前記流体の温度と前記基準温度の比の平方根を乗じた値であって、前記修正駆動量算出ステップは、前記流体送出手段の駆動量に基準温度と前記温度計測ステップで計測した温度の比の平方根を乗じた値を修正駆動量として算出し、前記流量算出ステップは、前記修正流量に、前記吐出圧と標準大気圧の比、および、前記基準温度と前記温度計測ステップで計測した温度との比の平方根を乗じて、前記流量を計算する、ことを特徴とする。
【００１１】
好ましくは、前記修正駆動量と吐出圧と修正流量との関係を表す予め設定したデータは、隣接する測定点を含む平面の方程式で表され、前記修正流量算出ステップは、前記修正流量を、前記隣接する測定点を含む平面の方程式からその平面上の点として算出する。
【００１２】
本発明の第２の観点に係る流量推定装置は、流体を入口から導入し出口から送出する流体送出手段の駆動量を温度で補正した修正駆動量と、前記流体送出手段の吐出圧と、前記流体送出手段の送出する流量を前記吐出圧と流体の温度で補正した修正流量との関係を表すデータと、前記流体送出手段の駆動量を検出する駆動量検出手段と、前記流体送出手段の吐出圧を検出する吐出圧検出手段と、前記流体送出手段の雰囲気温度（流体温度）を計測する温度計測手段と、前記駆動量検出手段で検出した駆動量を前記温度計測手段で計測した温度で補正した修正駆動量を算出する修正駆動量算出手段と、前記流体送出手段の修正駆動量と吐出圧と修正流量との関係を表すデータから、前記吐出圧と、前記修正駆動量で決まる修正流量を算出する修正流量算出手段と、前記修正流量算出手段で算出した修正流量から前記吐出圧と前記温度の補正を除いた流量を計算する流量算出手段と、を備えることを特徴とする。
【００１３】
好ましくは、前記修正駆動量は、前記流体送出手段の駆動量に基準温度と前記流体の温度の比の平方根を乗じた値であり、前記修正流量は、前記流体送出手段の送出する流量に、標準大気圧と前記吐出圧の比、および、前記流体の温度と前記基準温度の比の平方根を乗じた値であって、前記修正駆動量算出手段は、前記流体送出手段の駆動量に基準温度と前記温度計測手段で計測した温度の比の平方根を乗じた値を修正駆動量として算出し、前記流量算出手段は、前記修正流量に、前記吐出圧と標準大気圧の比、および、前記基準温度と前記温度計測手段で計測した温度との比の平方根を乗じて、前記流量を計算する。
【００１４】
なお、上述の圧力はいずれも絶対圧である。
【発明の効果】
【００１５】
本発明の流量推定方法によれば、流入する気体の密度の影響を抑制しつつ流量を推定することができる。
【発明を実施するための最良の形態】
【００１６】
本発明に係る流量推定装置の一実施の形態について、図を参照して説明する。図１は、本発明の実施の形態に係る流量推定装置の構成を示すブロック図である。流量推定装置１０は、ブロア２の吐出圧、流体の温度、ブロア２の回転速度（以下では、単位時間あたりの回転数を単に「回転数」ということがある）を計測して、ブロア２から送出される流体の流量（質量流量）を推定する。
【００１７】
流量推定装置１０は、回転数センサ３、吐出圧センサ４、温度センサ５、センサ入力部１１、修正回転数算出部１２、修正流量算出部１３、流量算出部１４、および関係データ記憶部１６から構成される。関係データ記憶部１６は関係データ１５を記憶する。
【００１８】
回転数センサ３は、ブロア２の駆動量である回転速度を検出し、センサ入力部１１に入力する。吐出圧センサ４は、ブロア２の送出側の流体の圧力を検出し、センサ入力部１１に入力する。吐出圧センサ４は、基準の圧力、例えば大気圧と流体の圧力の差（ゲージ圧）を出力する。温度センサ５は、ブロア２の流入側の流体の温度を計測し、センサ入力部１１に入力する。流体の温度は、吐出側で計測してもよい。
【００１９】
センサ入力部１１は、例えば、一定時間ごとに回転数センサ３、吐出圧センサ４および温度センサ５から回転速度、吐出圧および流体の温度をそれぞれ入力し、修正回転数算出部１２に伝える。各センサからの入力は一定時間ごとに限らず、例えば、指令を受けたときに入力するのでも構わない。
【００２０】
修正回転数算出部１２は、ブロア２の回転速度をそのときの温度で補正した修正回転数を算出する。修正回転数（修正回転速度）Ｎreは、ブロア２の回転速度をＮ、基準の温度（絶対温度）をＴref、流体の温度（絶対温度）をＴとして、下の式（１）で表される。
【数１】
2009204321.tif 000003
回転速度Ｎは、例えば、単位時間あたりの回転数ｒｐｍで表される。基準の温度は、例えば、１５℃を基準とすると２８８°Ｋである。
【００２１】
修正流量算出部１３は、予め設定された関係データ１５を用いて、吐出圧と修正回転数から修正流量を算出する。修正流量Ｇreは、実際の質量流量をＧ、吐出圧（ゲージ圧）をＰs、基準の圧力をＰref、基準の温度（絶対温度）をＴref、流体の温度（絶対温度）をＴとして、下の式（２）で表される。
【数２】
2009204321.tif 000004
吐出圧Ｐsは、基準の圧力と流体の圧力の差で表されている。基準の圧力は、例えば、大気圧を基準とすると、１０１．３kPaである。基準の温度Ｔrefは、式（１）のＴrefと同じ値である。
【００２２】
式（２）の  Ｐref／（Ｐref ＋ Ｐs） は、正確には、ブロア吸引側の圧力（絶対圧）をＰin、ブロアの吐出圧（絶対圧）をＰoutとして、Ｐin／Ｐoutである。ブロア吸引側が大気開放されている場合には、大気圧をＰatmとして、Ｐatm／Ｐoutである。Ｐsに比べて大気圧の変動が小さければ、Ｐatm＝基準圧Ｐrefとおくと、Ｐout（絶対圧）＝（Ｐref＋Ｐs（ゲージ圧））であるから、式（２）が得られる。
【００２３】
関係データ１５は、吐出圧Ｐｓ、修正回転数Ｎre、修正流量Ｇreの関係を示す。すなわち、Ｆをある２変数の関数として、
Ｇre  ＝ Ｆ（Ｐｓ、Ｎre）
で表される。式（１）の修正回転数Ｎre、および式（２）の修正流量Ｇreを用いると、吐出圧Ｐs、修正回転数Ｎreおよび修正流量Ｇreは、流体の密度すなわち温度によらない１つの関係で表すことができる。
【００２４】
吐出圧Ｐs、修正回転数Ｎreおよび修正流量Ｇreは、流体の密度すなわち温度によらない１つの関係で表されることを以下に説明する。図２は、ブロア２の回転数、吐出圧、流体の温度と流量の関係を調べる測定系のブロック図である。
【００２５】
測定する装置は図２に示すようにブロア２の吐出側に、圧力計２１Ｂ、温度計（熱電対）２２Ｂ、流量計２３、模擬圧力損失調整用のゲートバルブ２４で構成した。ブロア２の吸引側には圧力計２１Ａ、温度計（熱電対）２２Ａを取り付けた。これらを温度調整可能な恒温槽内に入れ雰囲気温度を調整した。恒温槽内の圧力と温度は圧力計２１と温度計２２で計測する。ブロア２の回転軸に取り付けられたパルスカウンタ２５でブロア２の回転数を計測する。回転数と流量をデータロガ２６で記録する。測定系全体を計測コントローラ２７で制御する。
【００２６】
実験は、ブロア制御用のパルス波のDuty比を変化させ、回転数、および吐出圧を確認しながら条件を合わせ、各センサ出力を計測した。ゲートバルブ開度を変更する場合も同様に調整した。実験では、吐出圧−流量の関係の温度依存性を確認し、吐出圧−回転数−流量の関係を示す３次元マップを作成した。
【００２７】
吐出圧−流量の関係の温度依存性の実験では恒温槽の制御温度を４０℃（Ａ）、２０℃（Ｂ）、−１０℃（Ｃ）に調整し、それぞれの温度において回転数1500、2500、3500、4500、5500rpmについて実施した。実験において背圧調整バルプの開度は３パターンとし、各温度、回転数において同一開度とし吐出圧、流量を計測した。
【００２８】
図３は、ブロア２が送出する流体の流量と吐出圧の関係を、ブロア回転数と温度ごとにプロットしたグラフである。ブロア２の回転数が同じでも、流体の温度（すなわち密度）によって、流量と吐出圧の関係は変化する。
【００２９】
図４は、修正流量と吐出圧の関係を、修正回転数と温度ごとにプロットしたグラフである。修正回転数が同じであれば、修正流量と吐出圧の関係は温度によって殆ど変化しない。したがって、吐出圧Ｐs、修正回転数Ｎreおよび修正流量Ｇreは、流体の密度すなわち温度によらない１つの関係で表すことができる。
【００３０】
そこで、ある一定の温度の場合について、修正流量、修正回転数、ブロア吐出圧からなる３次元マップを図５のように作成する。図５の３次元マップが前述の関数Ｆに相当する。図５のような３次元マップを用いて、吐出圧と修正回転数から修正流量を求めることができる。
【００３１】
図５の３次元マップでは、格子点が測定した点である。４つの隣接する点で囲まれる４角形で張られる平面を、Ｇre＝ａ・Ｐs＋ｂ・Ｎre＋ｃの形式の一次方程式（平面方程式）で表し、各係数と４角形のデータ範囲を組にして関係データ１５とすることができる。図５では、計測した４２点から、３０枚の平面方程式を決定することができる。
【００３２】
図１に戻って、修正流量算出部１３は、例えば、吐出圧センサ４で得られた吐出圧と、修正回転数算出部１２で算出された修正回転数から、それらが含まれる範囲に適用する平面方程式を選択し、修正流量を算出する。このように、修正流量を算出するのは平面近似に限られない。例えば、２次元曲面で近似してもよい。測定データを適当な間隔で採取すれば、図５に示すような一次近似で充分実用に耐える。
【００３３】
流量算出部１４は、式（２）を用いて修正流量Ｇreから流量Ｇを得る。逆算するにあたって、温度Ｔごとの係数の表と、吐出圧Ｐsごとの係数の表を作成しておいて、その表から該当する係数を選択して計算してもよい。こうすると、流量算出のたびに開平と除算を実行しなくて済む。
【００３４】
図６は、図１に示す流量推定装置１０のハードウェア構成の一例を示すブロック図である。流量推定装置１０は、図６に示すように、制御部３１、主記憶部３２、外部記憶部３３、入力部３４、表示部３５および出力部３６を備える。主記憶部３２、外部記憶部３３、入力部３４、表示部３５および出力部３６はいずれも内部バス３０を介して制御部３１に接続されている。
【００３５】
制御部３１はＣＰＵ（Central Processing Unit）等から構成され、外部記憶部３３に記憶されている流量推定プログラム５０に従って、流量を推定するための処理を実行する。
【００３６】
主記憶部３２はＲＡＭ（Random-Access Memory）等から構成され、外部記憶部３３に記憶されている流量推定プログラム５０をロードし、制御部３１の作業領域として用いられる。
【００３７】
外部記憶部３３は、フラッシュメモリ、ハードディスク、ＤＶＤ−ＲＡＭ（Digital Versatile Disc Random-Access Memory）、ＤＶＤ−ＲＷ（Digital Versatile Disc ReWritable）等の不揮発性メモリから構成され、前記の処理を制御部３１に行わせるためのプログラムを予め記憶し、また、制御部３１の指示に従って、このプログラムが記憶するデータを制御部３１に供給し、制御部３１から供給されたデータを記憶する。図１の関係データ１５は、外部記憶部３３に構成される。
【００３８】
入力部３４は、回転数センサ３、吐出圧センサ４および温度センサ５に接続し、それらから入力するデータを制御部３１に供給する。入力する検出値がアナログの場合は、Ａ−Ｄ変換する機能も備える。
【００３９】
表示部３５は、ＬＥＤ（Light Emitting Diode）、ＣＲＴ（Cathode Ray Tube）又はＬＣＤ（Liquid Crystal Display）などから構成され、検出した吐出圧、回転数、温度と、推定した流量などを表示する。
【００４０】
出力部３６は、例えば、ブロア２の駆動制御部（図示せず）に接続し、推定した流量をその駆動制御部に出力する。駆動制御部は、推定した流量を入力して、目標の流量になるようにフィードバック制御する。
【００４１】
図７は、流量推定装置１０の動作の一例を示すフローチャートである。なお、上述のように、流量推定装置１０の動作は、制御部３１が主記憶部３２、外部記憶部３３および入力部３４と協働して行う。図１のセンサ入力部１１、修正回転数算出部１２、修正流量算出部１３、流量算出部１４の処理は、流量推定プログラム５０が、制御部３１、主記憶部３２、外部記憶部３３および入力部３４などを資源として用いて処理することによって実行する。
【００４２】
制御部３１は、入力部３４を介して回転数センサ３、吐出圧センサ４および温度センサ５から、回転数、吐出圧Ｐs、温度Ｔを入力する（ステップＳ１）。これは、センサ入力部１１の処理に該当する。
【００４３】
制御部３１は、式（１）に従って回転数と温度から修正回転数を算出する（ステップＳ２）。これは、図１の修正回転数算出部１２の処理に該当する。そして、吐出圧Ｐs、修正回転数に適合する関係データ１５を参照する（ステップＳ３）。例えば、入力した吐出圧Ｐsと算出した修正回転数が含まれる範囲の、図５に示す３次元マップに対応した平面方程式を選択する。
【００４４】
制御部３１は、修正回転数Ｎreと吐出圧Ｐsから修正流量Ｇreを算出する（ステップＳ４）。これは図１の修正流量算出部１３の処理に該当する。例えば、前述の平面方程式に吐出圧Ｐsと修正流量を代入して、修正流量を得る。そして、式（２）を用いて修正流量Ｇreから流量Ｇを得る。これは、図１の流量算出部１４の処理である。
【００４５】
本発明の流量推定装置１０はこのような構成を採用し、演算量を増大させることなく流入する気体の密度に影響されずに流量を推定することができる。
【００４６】
本発明の流量推定方法では、修正流量、修正回転数を流量推定の変数とすることにより、ブロア入口において流れの相似則が成り立つため、流体（例えば大気）の密度変化に影響されることなく、流量を１つの関係で算出することができる。
【００４７】
本発明の流量推定方法によれば、修正流量、修正回転数、吐出圧の３次元マップから流量を推定することにより、同一回転数における吐出圧と流量の関係を物理現象と結びつけられるため、ブロア下流の圧力損失の変化に対応できる。なお、任意の温度条件でマップ（３次元マップ）を作成できる。また、平面で近似する方程式を予め計算しておいて、平面近似で補間して求めるので、３式の計算をその都度行わずに済む。
【００４８】
（実施例）
図８ないし図１１は、流量計で計測した流量と、本発明の流量推定方法で推定した流量とを比較するグラフである。図８ないし図１１に示すように、−１０℃、２０℃、４０℃、５０℃の雰囲気温度条件について比較を行った。図８ないし図１１は、図２に示す系で行った単体試験でのデータ変化を、平面補正方法で推定した流量と流量計指示値の比較結果である。
【００４９】
図８ないし図１１では、流量計の指示値である実流量を実線で、推定した流量を白丸の点で表す。それぞれの温度条件においてゲートバルブ開度を変化させているため圧力変化への影響も同時に含まれている。
【００５０】
これらの結果、定常時においては温度、圧力変化しても流量計指示値にほぼ等しい推定値が得られることを確認できた。
【００５１】
図１２は、ガソリンエンジンの燃料噴射の技術として、燃料噴射時間と吸気管圧力、エンジン回転数の３次元マップから燃料噴射時間を求める技術における流量推定の方法と、本発明の流量推定の方法で推定計算を行った場合の、計算時間の比較を示す。図１２に示すように、燃料噴射の技術の流量推定の方法に比較して、本発明の流量推定の方法によれば、演算時間が１／１５以下になっている。これにより本発明の方式による計算負荷軽減の効果が確認できた。
【００５２】
なお、実施の形態ではブロア２の回転速度を用いたが、ブロア２の駆動量を表す値として、回転速度と一意に対応する値を用いてもよい。例えば、ブロア２の周速、回転速度に一意に対応する電気的特性などを用いることができる。駆動源は、モータ以外のもので構成するようにしてもよい。
【００５３】
また、流体送出手段としてブロアの場合に適用したが、これに限らず、駆動源によって駆動されて流体（液体、気体を問わず）を入口から導入し出口から送出するものであればよく、例えばポンプに適用することができる。
【００５４】
その他、前記のハードウエア構成やフローチャートは一例であり、任意に変更および修正が可能である。
【００５５】
制御部３１、主記憶部３２、外部記憶部３３、入力部３４、内部バス３０などから構成される流量推定処理を行う中心となる部分は、専用のシステムによらず、通常のコンピュータシステムを用いて実現可能である。たとえば、前記の動作を実行するためのコンピュータプログラムを、コンピュータが読み取り可能な記録媒体（フレキシブルディスク、ＣＤ−ＲＯＭ、ＤＶＤ−ＲＯＭ等）に格納して配布し、当該コンピュータプログラムをコンピュータにインストールすることにより、前記の処理を実行する無線制御装置および基地局を構成してもよい。また、インターネット等の通信ネットワーク上のサーバ装置が有する記憶装置に当該コンピュータプログラムを格納しておき、通常のコンピュータシステムがダウンロード等することで流量推定装置１０を構成してもよい。
【００５６】
また、流量推定装置１０の機能を、ＯＳ（オペレーティングシステム）とアプリケーションプログラムの分担、またはＯＳとアプリケーションプログラムとの協働により実現する場合などには、アプリケーションプログラム部分のみを記録媒体や記憶装置に格納してもよい。
【００５７】
また、搬送波にコンピュータプログラムを重畳し、通信ネットワークを介して配信することも可能である。たとえば、通信ネットワーク上の掲示板(BBS, Bulletin Board System)に前記コンピュータプログラムを掲示し、ネットワークを介して前記コンピュータプログラムを配信してもよい。そして、このコンピュータプログラムを起動し、ＯＳの制御下で、他のアプリケーションプログラムと同様に実行することにより、前記の処理を実行できるように構成してもよい。
【図面の簡単な説明】
【００５８】
【図１】本発明の実施の形態に係る流量推定装置の構成例を示すブロック図である。
【図２】ブロアの回転数、吐出圧、流体の温度と流量の関係を調べる測定系のブロック図である。
【図３】ブロアが送出する流体の流量と吐出圧の関係を、ブロア回転数と温度ごとにプロットしたグラフである。
【図４】修正流量と吐出圧の関係を、修正回転数と温度ごとにプロットしたグラフである。
【図５】修正流量、修正回転数、ブロア吐出圧からなる３次元マップの一例を示す図である。
【図６】流量推定装置のハードウェア構成の一例を示すブロック図である。
【図７】実施の形態に係る流量推定の動作の一例を示すフローチャートである。
【図８】−１０℃の場合の推定流量と流量計指示値を示すグラフである。
【図９】２０℃の場合の推定流量と流量計指示値を示すグラフである。
【図１０】４０℃の場合の推定流量と流量計指示値を示すグラフである。
【図１１】５０℃の場合の推定流量と流量計指示値を示すグラフである。
【図１２】推定計算時間の比較を示す図である。
【符号の説明】
【００５９】
２  ブロア
３  回転数センサ（駆動量検出手段）
４  吐出圧センサ（吐出圧検出手段）
５  温度センサ（温度計測手段）
１０  流量推定装置
１１  センサ入力部（駆動量検出手段、吐出圧検出手段、温度計測手段）
１２  修正回転数算出部（修正駆動量算出手段）
１３  修正流量算出部（修正流量算出手段）
１４  流量算出部（流量算出手段）
１５  関係データ
１６  関係データ記憶部
３１  制御部（修正駆動量算出手段、修正流量算出手段、流量算出手段）
３２  主記憶部
３３  外部記憶部
３４  入力部
【図１】
2009204321.tif 000005
【図２】
2009204321.tif 000006
【図３】
2009204321.tif 000007
【図４】
2009204321.tif 000008
【図５】
2009204321.tif 000009
【図６】
2009204321.tif 000010
【図７】
2009204321.tif 000011
【図８】
2009204321.tif 000012
【図９】
2009204321.tif 000013
【図１０】
2009204321.tif 000014
【図１１】
2009204321.tif 000015
【図１２】
2009204321.tif 000016